(57)【要約】【課題】操作が簡易で加工が簡便で、組立し易い傘の回転ロック構造の提供。【解決手段】上方にろくろが設けられ、下方に少なくとも一つの開口溝が開設された連接スリーブと、上方が該連接スリーブの下方に固着され、外周が偏心形状を呈し、周縁厚さが回転方向に沿って漸増し、周縁の比較的厚い部分に緊固部が形成された緊固スリーブと、内部に連接スリーブ、緊固スリーブが挿入固定される筒体であって内部に少なくとも一つの圧接凸部が設けられて該圧接凸部が緊固スリーブの緊固部に圧接される外旋スリーブとを包含し、回転方式で傘の中棒をロックする。【選択図】図１
0003136201.tif 000002
【実用新案登録請求の範囲】
【請求項１】
傘の回転ロック構造において、
連接スリーブであって、その上方にろくろが設けられ、下方に少なくとも一つの開口溝が開設された上記連接スリーブと、
緊固スリーブであって、上方が該連接スリーブの下方に固着され、外周が偏心形状を呈し、周縁厚さが回転方向に沿って漸増し、周縁の比較的厚い部分に緊固部が形成された上記緊固スリーブと、
外旋スリーブであって、内部に連接スリーブ、緊固スリーブが挿入固定される筒体とされ内部に少なくとも一つの圧接凸部が設けられて該圧接凸部が緊固スリーブの緊固部に圧接される上記外旋スリーブと、
を包含したことを特徴とする、傘の回転ロック構造。
【請求項２】
請求項１記載の傘の回転ロック構造において、該連接スリーブの下方外周に係止部が設けられ、この外旋スリーブ内に係止溝が設けられ、該係止溝内に係止部が挿入され係合することを特徴とする、傘の回転ロック構造。
【請求項３】
請求項２記載の傘の回転ロック構造において、該係止溝内に圧接凸部が設けられ、該圧接凸部が該緊固スリーブの緊固部外周への圧接に供されることを特徴とする、傘の回転ロック構造。
【請求項４】
請求項１記載の傘の回転ロック構造において、該連接スリーブの下端に凸片が設けられ、この緊固スリーブの上方に凹溝が設けられ、該凹溝が該凸片の挿入嵌合に供されることを特徴とする、傘の回転ロック構造。
【請求項５】
請求項１記載の傘の回転ロック構造において、該緊固部の内周に傘の中棒が通され、緊固部外周が該外旋スリーブの圧接凸部の内周による圧接に供されて該緊固部の内周が中棒外周を圧迫し固定し、並びに該外旋スリーブの過度の回転を防止することを特徴とする、傘の回転ロック構造。
【請求項６】
請求項１記載の傘の回転ロック構造において、該外旋スリーブは係止リングを包含し、この係止リングが外旋スリーブの下方に挿入されて緊固スリーブの下端に当接し、緊固スリーブの脱出を防止したことを特徴とする、傘の回転ロック構造。
【考案の詳細な説明】
【技術分野】
【０００１】
本考案は一種の傘の回転ロック構造に係り、特に、傘を開閉する時に、回転方式によって傘の中棒をロックできる構造に関する。
【背景技術】
【０００２】
人々は傘を使用することで天気の変化に対抗し、例えば雨で身体が濡れるのを防止したり、日光の紫外線の強烈な照射が皮膚に傷害を及ぼすのを防止したりする。一般に、傘には位置決め構造が設計され、ろくろを中棒と固定して傘の開閉使用に便利とされる。
【０００３】
図８に示される周知の傘の押圧位置決め構造によると、傘７の中棒７１内に板バネ７２が設けられ、板バネ７２にはじき７３が接続され、並びに中棒７１の外周にろくろ７４が嵌合され、傘７を開くときは、はじき７３でろくろ７４下方を支持して位置決めし、さらに傘７を閉じる時は、手ではじき７３を押し込んでろくろ７４を中棒７１に沿って下向きにスライドさせれば、傘７を閉じることができる。
【０００４】
周知の傘の押圧位置決め構造は、中棒内に板バネ、はじきを取り付ける必要があり、その加工と取り付けはいずれも煩瑣で実行しにくく、製造加工のコストが高くつき、且つ押圧過程中に、バネがひっかかる状況が発生しやすく、このために傘が正常に開閉不能となり、市場での競争に不利となる。また、傘の開閉時に、手部ではじきを押し込む瞬間にろくろが同時に下向きにスライドするため、手部を速やかに放さないと、はじきとろくろに手部が挟まれ怪我をすることがあり、このような問題はいまだ解決手段が提供されていない。
【考案の開示】
【考案が解決しようとする課題】
【０００５】
本考案の主要な目的は、一種の傘の回転ロック構造を提供することにあり、それは操作が簡単で且つ加工が簡便で、組立が容易で製造コストを下げることができる構造であるものとする。
【０００６】
本考案の別の目的は、一種の傘の回転ロック構造を提供することにあり、それは傘を閉じる時に手部を挟んで傷つけることがなく、傘を安全に閉じることができる構造であるものとする。
【０００７】
上述の目的を達成するため、本考案の傘の回転ロック構造は、連接スリーブ、緊固スリーブ、外旋スリーブを包含し、そのうち、連接スリーブは、その上方にろくろが設けられ、下方側辺に開口溝が開設されて、該連接スリーブが内向きに弾性変形するものとされ、該連接スリーブに係止部が設けられ、且つ係止部の下端に凸片が設けられている。該緊固スリーブは、その上方に凹溝が設けられ、この凹溝が連接スリーブの凸片の挿入係合に供され、該緊固スリーブの外周は偏心形状を呈し、周縁の厚さが回転方向に沿って漸増し、周縁の比較的厚い部分に緊固部が形成され、この緊固部の外周が該外旋スリーブの内周と当接し、緊固部内周が傘の中棒の外周を緊迫して固定される。外旋スリーブは内部に連接スリーブ、緊固スリーブが挿入固定される筒体であって内部に係止溝を具え、該係止溝に該係止部が挿入されて係合し、該係止溝内に圧接凸部が設けられ、該圧接凸部が緊固スリーブの緊固部に圧接され、並びに外旋スリーブの下方に係止リングが挿着され、緊固スリーブの脱落が防止される。
【課題を解決するための手段】
【０００８】
請求項１の考案は、傘の回転ロック構造において、
連接スリーブであって、その上方にろくろが設けられ、下方に少なくとも一つの開口溝が開設された上記連接スリーブと、
緊固スリーブであって、上方が該連接スリーブの下方に固着され、外周が偏心形状を呈し、周縁厚さが回転方向に沿って漸増し、周縁の比較的厚い部分に緊固部が形成された上記緊固スリーブと、
外旋スリーブであって、内部に連接スリーブ、緊固スリーブが挿入固定される筒体とされ内部に少なくとも一つの圧接凸部が設けられて該圧接凸部が緊固スリーブの緊固部に圧接される上記外旋スリーブと、
を包含したことを特徴とする、傘の回転ロック構造としている。
請求項２の考案は、請求項１記載の傘の回転ロック構造において、該連接スリーブの下方外周に係止部が設けられ、この外旋スリーブ内に係止溝が設けられ、該係止溝内に係止部が挿入され係合することを特徴とする、傘の回転ロック構造としている。
請求項３の考案は、請求項２記載の傘の回転ロック構造において、該係止溝内に圧接凸部が設けられ、該圧接凸部が該緊固スリーブの緊固部外周への圧接に供されることを特徴とする、傘の回転ロック構造としている。
請求項４の考案は、請求項１記載の傘の回転ロック構造において、該連接スリーブの下端に凸片が設けられ、この緊固スリーブの上方に凹溝が設けられ、該凹溝が該凸片の挿入嵌合に供されることを特徴とする、傘の回転ロック構造としている。
請求項５の考案は、請求項１記載の傘の回転ロック構造において、該緊固部の内周に傘の中棒が通され、緊固部外周が該外旋スリーブの圧接凸部の内周による圧接に供されて該緊固部の内周が中棒外周を圧迫し固定し、並びに該外旋スリーブの過度の回転を防止することを特徴とする、傘の回転ロック構造としている。
請求項６の考案は、請求項１記載の傘の回転ロック構造において、該外旋スリーブは係止リングを包含し、この係止リングが外旋スリーブの下方に挿入されて緊固スリーブの下端に当接し、緊固スリーブの脱出を防止したことを特徴とする、傘の回転ロック構造としている。
【考案の効果】
【０００９】
本考案は周知の技術と比較すると、確実に以下の機能を達成する。
１．本考案の傘の回転ロック構造は、回転ロック構造を組み合わせた後、傘の中棒が通され並びに傘骨と接続されて、傘の組立が完成し、その操作は簡単で外旋スリーブを回して緊固スリーブに偏心を発生させて、緊固スリーブの内周に傘の中棒を緊迫固定させて、傘の中棒のロック効果を達成する。
２．本考案の傘の回転ロック構造は、反対方向に外旋スリーブを回せば、傘の中棒を釈放でき、下向きに外旋スリーブを引っ張って傘を閉じることができ、傘を閉じる時にろくろに手を挟んで怪我をするのを防止でき、傘を安全に閉じることができる。
【考案を実施するための最良の形態】
【００１０】
図１に示されるように、本考案の傘の回転ロック構造は、
連接スリーブ１であって、その上方にろくろ１１が設けられ、下方の二側辺にそれぞれ開口溝１２が開設され、該連接スリーブ１の二側が内向きに弾性変形可能とされ、並びに該連接スリーブ１の下方外周に係止部１３が設けられ、且つ該係止部１３の下端二側それぞれに凸片１４が設けられた、上記連接スリーブ１と、
緊固スリーブ２であって、その上方二側それぞれに凹溝２１が設けられ、この凹溝２１に対応する連接スリーブ１の凸片１４が挿入嵌合され、該緊固スリーブ２の外周は偏心形状を呈し、図１に図４を併せて参照されたいが、この緊固スリーブ２の周縁の厚さは回転方向に沿って漸増し、周縁の比較的厚い部分に緊固部２２が形成され、この緊固部２２の外周が外旋スリーブ３の内周と当接し、これにより緊固部２２内周が中棒４の外周に圧接されて固定され、図１、図７を併せて参照されたいが、並びに該外旋スリーブ３の過度の回転を防止する、上記緊固スリーブ２と、
外旋スリーブ３であって、連接スリーブ１と緊固スリーブ２が挿入固定される筒体とされ、該外旋スリーブ３内に係止溝３１が設けられ、図１、３、４を参照されたいが、該係止溝３１が該連接スリーブ１の係止部１３の挿入係合に供され、該係止溝３１内に圧接凸部３２が設けられ、該圧接凸部３２が回転中に緊固スリーブ２の緊固部２２外周に圧接し、並びに外旋スリーブ３の下方に係止リング３３が嵌着されて、緊固スリーブ２の下端に当接し、緊固スリーブ２の脱落が防止される、上記外旋スリーブ３と、
を包含する。
【００１１】
さらに図１に示されるように、その組立実施時には、まず連接スリーブ１が上から下に外旋スリーブ３内に挿入され、連接スリーブ１がその下方二側辺の開口溝１２により二側が内向きに弾性変形可能とされ、係止部１３が順調に外旋スリーブ３の係止溝３１内に挿入され係合する。その後、緊固スリーブ２が下から上に外旋スリーブ３内に挿入され、この緊固スリーブ２の凹溝２１と連接スリーブ１の凸片１４が相互に対応し嵌着され、さらに係止リング３３が外旋スリーブ３の下方に嵌着されて、緊固スリーブ２の下端に当接して、緊固スリーブ２の脱出を防止する。こうして傘の回転ロック構造が組み合わされる。続いて、傘の中棒４に下から上に、順に、係止リング３３、緊固スリーブ２、連接スリーブ１を通過させ、図５に示されるように、この中棒４の上方は上ろくろ５に接続し、上ろくろ５に複数の傘骨６を枢着し、並びに連接スリーブ１のろくろ１１に複数の傘骨６を枢着し、こうして傘を完成する。
【００１２】
また、図５に示されるように、傘を開くとき、それが傘の中棒４をアンロック状態のとき、このとき、緊固スリーブ２と中棒４の間に間隙があり、図６に示されるように、まず、外旋スリーブ３を上向きに適宜位置まで押して傘を開き、さらに外旋スリーブ３を一方向に回し、圧接凸部３２を緊固スリーブ２の緊固部２２外周に圧接させ、図７に示されるように、緊固スリーブ２に偏心を発生させると共に、該外旋スリーブ３の過度の回転を防止し、このとき、この緊固部２２内周が中棒４の外周を圧迫して固定され、傘の中棒４をロックする機能を達成する。
【００１３】
反対に、傘を閉じるときは、外旋スリーブ３を反対方向に回すと、圧接凸部３２がそれ以上緊固スリーブ２の緊固部２２外周を圧迫せず、緊固スリーブ２と中棒の間に間隙が再び形成され、図６に示されるように、このとき、それはアンロック状態を呈し、さらに外旋スリーブ３を下向きに引っ張れば傘を閉じることができる。
【００１４】
総合すると、本願の傘の回転ロック構造は、傘を開く或いは閉じるとき、回転式に中棒をロックでき、その操作は簡易で、ただ外旋スリーブを回して緊固スリーブに偏心を発生させて、緊固スリーブの緊固部内周に中棒を圧迫させて固定すれば、傘の中棒のロックが完成する。
【図面の簡単な説明】
【００１５】
【図１】本考案の立体分解図である。
【図２】本考案の組合せ表示図である。
【図３】本考案の組合せ断面図である。
【図４】本考案の緊固部と圧接凸部の断面図である。
【図５】本考案と傘の中棒の組合せ表示図である。
【図６】本考案と傘の中棒の組合せ断面図である。
【図７】本考案の外旋スリーブを回して傘の中棒をロックする動作表示図である。
【図８】周知の傘の展開動作表示図である。
【符号の説明】
【００１６】
１  連接スリーブ        １１  ろくろ
１２  開口溝            １３  係止部
１４  凸片              ２  緊固スリーブ
２１  凹溝              ２２  緊固部
３  外旋スリーブ        ３１  係止溝
３２  圧接凸部          ３３  係止リング
４  中棒                ５  上ろくろ
６  傘骨
７  傘                  ７１  中棒
７２  板バネ            ７３  はじき
７４  ろくろ
【図１】
0003136201.tif 000003
【図２】
0003136201.tif 000004
【図３】
0003136201.tif 000005
【図４】
0003136201.tif 000006
【図５】
0003136201.tif 000007
【図６】
0003136201.tif 000008
【図７】
0003136201.tif 000009
【図８】
0003136201.tif 000010